(57)【要約】【課題】操作性が良好な吸入マスクを提供する。【解決手段】本発明の吸入マスク５は、エアゾール缶５０の上部を包囲すべくエアゾール缶５０の上端外周部に着脱自在に嵌着可能な有底筒状のマスク部５１と、エアゾール缶５０のマウンテンカバー５０ａに嵌着されエアゾール缶５０のエアゾール噴射ノズルに接続される接続部５２と、この接続部５２の押下によってエアゾール噴射ノズルから噴射された酸素を、接続部５２からマスク部５１まで導く導液部５３と、接続部５２を押下した状態で維持する押下維持手段５４とを備えている。【選択図】　図１
2004129702.tif 000002
【特許請求の範囲】
【請求項１】
エアゾール缶の上部側を包囲すべく前記エアゾール缶の上端外周部に着脱自在に嵌着可能な有底筒状のマスク部と、
前記エアゾール缶のマウンテンカバーに着脱自在に挿入され、前記エアゾール缶のエアゾール噴射ノズルに接続される接続部と、
前記接続部の押下によって前記エアゾール噴射ノズルから噴射された酸素を、前記接続部から前記マスク部まで導く導液部と、
前記接続部を押下した状態で維持する押下維持手段とを備えたことを特徴とする吸入マスク。
【請求項２】
前記押下維持手段は前記接続部の側方に突出する突起であり、前記マウンテンカバーの側面に略Ｌ字状の係止孔が形成され、
前記押下部を押下させてから回転させることによって、前記突起を前記係止孔に係止させることを特徴とする請求項１に記載した吸入マスク。
【請求項３】
前記押下維持手段は前記接続部の側方に突出する突起であり、前記マウンテンカバーの内面には前記押下部の中心軸線方向に延びる縦溝と、前記縦溝の下端から前記縦溝の直角方向に延びる横溝とを有する係止溝が形成されていることを特徴とする請求項１に記載した吸入マスク。
【請求項４】
前記接続部は、側方に弾性変形可能な弾性片と、前記弾性片から側方に突出する突起とを有し、
前記マウンテンカバーの内面には係止孔が形成され、
前記弾性片を内側に変形させて前記マウンテンカバー内に挿入し、前記弾性片を弾性的に復元させて前記突起を前記マウンテンカバーの係止孔に挿入することにより係止させることを特徴とする請求項１に記載した吸入マスク。
【発明の詳細な説明】
【０００１】
【発明の属する技術分野】
本発明は、エアゾール缶のキャップとして兼用される吸入マスクに関する。
【０００２】
【従来の技術】
従来、図１６に示すように、エアゾール缶１０から噴射された酸素を吸引するための吸入マスク１が提案されている（例えば、特許文献１参照）。この吸入マスク１は、エアゾール缶１０の噴射ノズル１０ａに接続する接続部１１と、酸素を使用者の口元に導くマスク部１２と、噴射ノズル１０ａから噴射された酸素を接続部１１からマスク部１２に導く導液部１３とを有している。
【０００３】
この吸入マスク１は、接続部１１を噴射ノズル１０ａに接続し、導液部１３を介して接続部１１を押圧することにより接続部１１を押下させて、噴射ノズル１０ａを操作することにより、酸素を噴射させるように構成されている。
また、この吸入マスク１は、非使用時には、図１７に示すように、マスク部１２の先端をエアゾール缶１０の上端外周部に脱着自在に嵌着させて、エアゾール缶１０の上部をマスク部１２によって包囲し、噴射ノズル１０ａ等を保護するように構成されている。
【０００４】
【特許文献１】
実開平１−８４６５６号
【０００５】
【発明が解決しようとする課題】
しかしながら、従来の吸入マスク１は、エアゾール缶１０から酸素を連続して噴出し続ける場合、導液部１３を押圧し続ける必要があり、操作性が悪いという問題があった。
本発明は、前述した問題点に鑑みてなされたものであり、その目的は、操作性が良好な吸入マスクを提供することにある。
【０００６】
【課題を解決するための手段】
前述した目的を達成するために、本発明は、エアゾール缶の上部を包囲すべく前記エアゾール缶の上端外周部に着脱自在に嵌着可能な有底筒状のマスク部と、前記エアゾール缶のマウンテンカバーに着脱自在に挿入され、前記エアゾール缶のエアゾール噴射ノズルに接続される接続部と、前記接続部の押下によって前記エアゾール噴射ノズルから噴射された酸素を前記接続部から前記マスク部まで導く導液部と、前記接続部を押下した状態で維持する押下維持手段と、を備えたことを特徴とする。（請求項１）
【０００７】
本発明によれば、押下維持手段によって接続部を押下した状態で維持できるので、導液部を介して接続部を押圧し続けることなく、酸素を噴射し続けることができ、操作性が向上する。
【０００８】
また、前記押下維持手段を前記接続部の側方に突出する突起とし、前記マウンテンカバーの側面に略Ｌ字状の係止孔を形成し、前記接続部を押下させてから回転させることによって、前記突起を前記係止孔に係止させることができる。（請求項２）
この場合には、押下維持手段の構成を簡略化できる。
【０００９】
また、前記押下維持手段を前記接続部の側方に突出する突起とし、前記マウンテンカバーの内面に、前記押下部の押し下げ方向に延びる縦溝と、前記縦溝の下端から前記縦溝の直交方向に延びる横溝とを有する係止溝を形成できる。（請求項３）
この場合も、押下維持手段の構成を簡略化できる。
【００１０】
更に、前記押下維持手段に、前記接続部の側方に形成された弾性変形可能な弾性片と、前記弾性片に設けられた突起とを設け、前記弾性片を内側に弾性変形させて前記マウンテンカバー内に挿入し、前記弾性片を弾性的に復元させて前記突起を前記マウンテンカバーの係止孔に係止させることができる。（請求項４）
この場合も、押下維持手段の構成を簡略化できる。
【００１１】
【発明の実施の形態】
以下、本発明に係る吸入マスクの実施の形態について、図面に基づいて詳細に説明する。
【００１２】
（第１実施形態）
図１に示すように、本例の吸入マスク５は、エアゾール缶５０の上部を包囲すべくエアゾール缶５０の上端外周部に着脱自在に嵌着可能な有底筒状のマスク部５１と、エアゾール缶５０のマウンテンカバー５０ａに着脱自在に挿入され、エアゾール缶５０のエアゾール噴射ノズル５０ｂ（図２参照）に接続される接続部５２とを有している。
また、この吸入マスク５は、接続部５２の押下によってエアゾール噴射ノズル５０ｂから噴射された酸素を、接続部５２からマスク部５１まで導く導液部５３と、接続部５２を押下した状態で維持する押下維持手段５４とを備えている。
【００１３】
次に、上記各構成要素について説明する。マスク部５１は、その開口部５１ａが使用者の口元を覆うことが可能な大きさに形成されている。
接続部５２は円筒状に形成されている。また、接続部５２の中心軸線は、マスク部５１の中心軸線に対してほぼ直行している。この接続部５２を押下することにより、エアゾール噴射ノズル５０ｂが操作され、酸素が噴射される。
【００１４】
導液部５３は、中空の扁平状に形成されている。また、この導液部５３は、図２に示すように、幅の広い方の面がマスク部５１の外周から連続するように形成されている。
図１の押下維持手段５４は、接続部５２の外周面に形成されている。本例では、押下維持手段５４として、接続部５２から側方に突出する断面円形の突起が形成されている。この押下維持手段５４は、接続部５２の外周面に互いに１８０°離れて２個設けられている（一個のみ図示）。なお、押下維持手段５４は、一個または三個以上設けることができる。
【００１５】
一方、エアゾール缶５０のマウンテンカバー５０ａには、略Ｌ字状の係止孔５０ｃが二個形成されている。これらの係止孔５０ｃは、その上端が開口されている。また、これらの係止孔５０ｃは、互いに１８０°離れた位置に配置されている。
次に、この吸入マスク５の作用を説明する。吸入マスク５の非使用時には、図３に示すように、マスク部５１をエアゾール缶５０の上端に嵌着させることによって、キャップとして使用する。
吸入マスク５の使用時には、図４に示すように、マスク部５１をエアゾール缶５０から取り外す。次に、図５に示すように、吸入マスク５を９０°倒す。この場合、接続部５２を下向きにする。
【００１６】
次に、接続部５２をエアゾール缶５０のマウンテンカバー５０ａ内に挿入する。このときには、図６に示すように、接続部５２の押下維持手段５４を、エアゾール缶５０のマウンテンカバー５０ａに設けられた略Ｌ字状の係止孔５０ｃに挿入する。
そして、吸入マスク５の導液部５３を介して接続部５２を押圧すると、接続部５２が押下してエアゾール缶５０のエアゾール噴射ノズル５０ｂが操作され、酸素が噴射される。
【００１７】
酸素を一定時間に亘って連続的に噴射させる場合には、接続部５２を押下させた状態で、吸入マスク５とエアゾール缶５０を相対的に回転させる。これにより、図１に示すように、押下維持手段５４が係止孔５０ｃの水平部分に挿入されて係止される。
なお、図７に示すように、吸入マスク５のマスク部５１には、酸素を噴射させる際に用いられる空気孔５１ａが四個形成されている。
【００１８】
このように、本発明によれば、吸入マスク５の接続部５２を押下した状態で維持できるので、酸素を連続的に噴出させるとき、従来のように導液部５３を介して接続部５２を押圧し続ける必要がない。
従って、操作性を向上させることができる。
【００１９】
（第２実施形態）
図８は、第２実施形態の吸入マスク６を示す。この吸入マスク６は、上記吸入マスク５と同様に、エアゾール缶５０の上部を包囲すべくエアゾール缶５０の上端外周部に着脱自在に嵌着可能な有底筒状のマスク部６１と、エアゾール缶５０のマウンテンカバー５０ａに着脱自在に挿入され、エアゾール缶５０のエアゾール噴射ノズル５０ｂ（図９参照）に接続される接続部６２とを有している。
【００２０】
また、この吸入マスク６は、接続部６２の押下によってエアゾール噴射ノズル５０ｂから噴射された酸素を、接続部６２からマスク部６１まで導く導液部６３と、接続部６２を押下した状態で維持する押下維持手段６４とを備えている。
【００２１】
上記マスク部６１，接続部６２および導液部６３は、第１実施形態の吸入マスク５のマスク部５１，接続部５２および導液部５３と同一なので、その説明を省略する。
但し、上記押下維持手段６４は、第１実施形態の吸入マスク５の押下維持手段５４と異なる。すなわち、押下維持手段６４は、断面三角形状の突起状に形成されている。この押下維持手段６４は、接続部５２の外周面に二個形成されている。
【００２２】
一方、エアゾール缶５０のマウンテンカバー５０ａの内面には、図９に示すように、押下維持手段６４を係止するべく係止溝６５が形成されている。この係止溝６５は、マウンテンカバー５０ａの上端から中心軸線方向に延びる縦溝６５ａと、この縦溝６５ａの下端から縦溝６５ａと直行する方向に延びる横溝６５ｂとを有している。
この吸入マスク６は、酸素を連続的に噴出させる場合には、接続部６２に形成された押下維持手段６４を、マウンテンカバー５０ａの係止溝６５の縦溝６５ａに挿入し、適宜な角度だけ水平方向に回転させる。これによって、押下維持手段６４が係止溝６５の横溝６５ｂ内に挿入され、横溝６５ｂの上壁に係止される。
なお、図１０に示すように、吸入マスク６のマスク部６１には、酸素を噴射させる際に用いられる空気孔６１ａが四個形成されている。
【００２３】
（第３実施形態）
図１１は、本発明の第３実施形態の吸入マスク７を示す。この吸入マスク７は、エアゾール缶５０の上部を包囲すべくエアゾール缶５０の上端外周部に着脱自在に嵌着可能な有底筒状のマスク部７１と、エアゾール缶５０のマウンテンカバー５０ａに脱着自在に挿入され、エアゾール缶５０のエアゾール噴射ノズル５０ｂ（図１２参照）に接続される接続部７２とを有している。
【００２４】
また、この吸入マスク７は、接続部７２の押下によってエアゾール噴射ノズル５０ｂから噴射された酸素を、接続部７２からマスク部７１まで導く導液部７３と、接続部７２を押下した状態で維持する押下維持手段７４とを備えている。
【００２５】
これらのマスク部７１，接続部７２および導液部７３は、第１実施形態の吸入マスク５のマスク部５１，接続部５２および導液部５３と同一なので、その説明を省略する。
但し、押下維持手段７４は、第１実施形態の吸入マスク５の押下維持手段５４と異なる。すなわち、この押下維持手段７４は、図１２に示すように、接続部７２に形成された弾性片７４ａと、この弾性片７４ａの外周面に形成された断面円形状の突起７４ｂとを有している。
弾性片７４ａは、接続部７２に設けられた中心軸線と平行な２本のスリット７２ｃ，７２ｃの間に形成されている。突起７４ｂは、断面円形に形成されている。
【００２６】
一方、エアゾール缶５０のマウンテンカバー５０ａには、図１３に示すように、円形の係止孔７５と、この係止孔７５に接続部７４の突起７４ｂを案内するガイド溝７６とが形成されている。ガイド溝７６は、上広がりに形成されている。
この吸入マスク７は、図１４に示すように、接続部７２の弾性片７４ａに設けられた突起７４ｂを、マウンテンカバー５０ａの係止孔７５に挿入することによって、接続部７２の押下状態を維持し、酸素を連続的に噴射させることができる。
【００２７】
酸素の噴出を停止させる場合には、突起７４ｂを指等で内側に押圧する。そうすると、弾性片７４ａが内側に弾性変形し、突起７４ｂが係止孔７５から抜け出る。そのまま吸入マスク７を上方に移動させることによって、酸素の噴出が停止される。
なお、図１５に示すように、吸入マスク７のマスク部７１には、酸素を噴射させる際に用いられる空気孔７１ａが四個形成されている。
【００２８】
【発明の効果】
以上説明したように、本発明によれば、押下維持手段によって接続部を押下したまま維持することができる。従って、酸素を連続的に噴出させる場合でも、接続部を押圧し続ける必要がないので、操作性が向上する。
【図面の簡単な説明】
【図１】本発明に係る第１実施形態を示す図である。
【図２】本発明に係る第１実施形態の吸入マスクをキャップとして使用した状態を示す図である。
【図３】本発明に係る第１実施形態の作用を示す図である。
【図４】本発明に係る第１実施形態の作用を示す図である。
【図５】本発明に係る第１実施形態の作用を示す図である。
【図６】本発明に係る第１実施形態の作用を示す図である。
【図７】本発明に係る第１実施形態の要部を示す図である。
【図８】本発明に係る第２実施形態を示す図である。
【図９】本発明に係る第２実施形態の押下維持手段を係止する係止溝を示す図である。
【図１０】本発明に係る第２実施形態の要部を示す図である。
【図１１】本発明に係る第３実施形態の吸入マスクを示す図である。
【図１２】本発明に係る第３実施形態の押下維持手段を示す図である。
【図１３】本発明に係る第３実施形態の押下維持手段を係止する係止孔を示す図である。
【図１４】本発明に係る第３実施形態の押下維持手段をマウンテンカバーに係止させた状態を示す図である。
【図１５】本発明に係る第３実施形態の要部を示す図である。
【図１６】従来例に係る吸入マスクを示す図である。
【図１７】従来例に係る吸入マスクをエアゾール缶のキャップとして使用した状態を示す図である。
【符号の説明】
５，６，７　吸入マスク
５０　エアゾール缶
５０ａ　マウンテンカバー
５０ｂ　エアゾール噴出ノズル
５０ｃ　係止孔
５１，６１，７１　マスク部
５１ａ　開口部
５２，６２，７２　接続部
５３，６３，７３　導液部
５４，６４，７４　押下維持手段
６５　係止溝
６５ａ　縦溝
６５ｂ　横溝
７２ｃ　スリット
７４ａ　弾性片
７４ｂ　突起
７５　係止孔
７６　ガイド溝
【図１】
2004129702.tif 000003
【図２】
2004129702.tif 000004
【図３】
2004129702.tif 000005
【図４】
2004129702.tif 000006
【図５】
2004129702.tif 000007
【図６】
2004129702.tif 000008
【図７】
2004129702.tif 000009
【図８】
2004129702.tif 000010
【図９】
2004129702.tif 000011
【図１０】
2004129702.tif 000012
【図１１】
2004129702.tif 000013
【図１２】
2004129702.tif 000014
【図１３】
2004129702.tif 000015
【図１４】
2004129702.tif 000016
【図１５】
2004129702.tif 000017
【図１６】
2004129702.tif 000018
【図１７】
2004129702.tif 000019